(57)【要約】【課題】  低速時は、細かい車速がわかり、高速時は、瞬読性に優れる車速メータを提供すること。【解決手段】  目盛を指し示す位置を車速に応じて変更することで、車速の表示を行う車速メータにおいて、目盛を明るく見せる、光の透過性のある目盛（２０ｋｍ／ｈ目盛２１、１０ｋｍ／ｈ目盛２２、２ｋｍ／ｈ目盛２３）とLED（２０ｋｍ／ｈ目盛用LED６１ａ、１０ｋｍ／ｈ目盛用LED６１ｂ、２ｋｍ／ｈ目盛用LED６１ｃ）を設け、前記目盛をきざみ間隔で複数段階に分け、車速に応じて前記段階で目盛の輝度を変更する。【選択図】      図１
2006234441.tif 000002
【特許請求の範囲】
【請求項１】
目盛を指し示す位置を車速に応じて変更することで、車速の表示を行う車速メータにおいて、
前記目盛を明るく見せる目盛表示手段を設け、
前記目盛をきざみ間隔で複数段階に分け、車速に応じて前記段階で目盛の輝度を変更する、
ことを特徴とする車速メータ。
【発明の詳細な説明】
【技術分野】
【０００１】
本発明は、自動車における車速表示を行う車速メータの技術に関する。
【背景技術】
【０００２】
従来の技術においては、スピードメータの下側にあるトリップメータを、スイッチ切替で、車速表示可能にしている（例えば、特許文献１参照。）。
【特許文献１】特開２００３−７２４１９号公報（第２−５頁、全図）
【発明の開示】
【発明が解決しようとする課題】
【０００３】
しかしながら、従来では、同じ車速を示す表示が２種類になるため、アナログ表示とデジタル表示の両方を見てしまうと、ドライバの視線を運転から多くの時間、奪ってしまうことになり大変好ましくないことである。
【０００４】
本発明は、上記問題に着目してなされたもので、その目的とするところは、低速時は、細かい車速がわかり、高速時は、瞬読性に優れる車速メータを提供することにある。
【課題を解決するための手段】
【０００５】
上述の目的を達成するため、本発明では、目盛を指し示す位置を車速に応じて変更することで、車速の表示を行う車速メータにおいて、前記目盛を明るく見せる目盛表示手段を設け、前記目盛をきざみ間隔で複数段階に分け、車速に応じて前記段階で目盛の輝度を変更することを特徴とする。
【発明の効果】
【０００６】
よって、本発明では、低速時は細かいところまで車速がわかり、高速時は瞬読性に優れる車速メータにできる。
【発明を実施するための最良の形態】
【０００７】
以下に、本発明の車速メータを実現する実施の形態を、実施例に基づいて説明する。
【実施例１】
【０００８】
まず構造を説明する。
図１は車速メータの速度表示盤の説明図である。図２は車速メータの概要を説明する図である。
実施例１の車速メータ１では、速度表示盤２の目盛及び文字は、背後に配置される複数のLED６１，６２によって、光を透過することで、明るく表示を行う。
速度表示盤２は、図１に示すように、長く、太い目盛線である２０ｋｍ／ｈ目盛２１、長く、細い目盛線である１０ｋｍ／ｈ目盛２２、短く、細い目盛線である２ｋｍ／ｈ目盛２３、目盛文字２４、単位表記文字２５からなる。これらは、光を透過する部材で構成する。
【０００９】
速度表示盤２は、図２に示すようにメータパネル４に組み込まれる。メータパネル４には、エンジン回転計４１等の他の表示も設けられる。
メータパネル４の裏側には、メータ基板５を設ける。メータ基板５には、指針を取り付け、回転させる軸部５１を設ける。さらに、メータ基板５の速度表示盤２の各目盛と重なる部分、エンジン回転計４１の各目盛と重なる部分には、複数のLED６１，６２を設けるようにする。
【００１０】
速度表示盤２の各目盛と重なる部分のLED６１は、２０ｋｍ／ｈ目盛用LED６１ａ、１０ｋｍ／ｈ目盛用LED６１ｂ、２ｋｍ／ｈ目盛用LED６１ｃを有する。
例えば、２０ｋｍ／ｈ〜４０ｋｍ／ｈの表示部分においては、２０ｋｍ／ｈ目盛用LED６１ａ、２ｋｍ／ｈ目盛用LED６１ｃ、１０ｋｍ／ｈ目盛用LED６１ｂ、２ｋｍ／ｈ目盛用LED６１ｃ、２０ｋｍ／ｈ目盛用LED６１ａの順に配置されることになる。光を透過する目盛とLEDにより目盛表示手段が構成される。
【００１１】
これら複数のLEDは、LED駆動部７１により、点灯、消灯及び、徐々に輝度を小さくする駆動が成され、LED駆動部７１は、輝度制御部７２により制御される。
輝度制御部７２は、入力される車速から、LED駆動部７１を制御する。
【００１２】
また、速度表示、エンジン回転表示等を行う指針を回転させる軸部５１の駆動は、車速が入力されるメータ制御部７３により制御される。
【００１３】
次に作用を説明する。
［車速に応じた目盛表示作用］
実施例１の車速メータ１は、車速が速度V1ｋｍ／ｈ未満、例えば５０ｋｍ／ｈの場合には、２０ｋｍ／ｈ目盛用LED６１ａ、１０ｋｍ／ｈ目盛用LED６１ｂ、２ｋｍ／ｈ目盛用LED６１ｃの全てを初期輝度で表示する（図３(a)参照）。
次に、車速がV1ｋｍ／ｈ以上で且つ次の速度V2ｋｍ／ｈ未満、例えば５０ｋｍ／ｈ以上８０ｋｍ／ｈ未満の場合には、２ｋｍ／ｈ目盛用LED６１ｃの輝度を徐々に落とす（図３(b)参照）。
そして、車速がV2ｋｍ／ｈ以上で且つ次の速度V3ｋｍ／ｈ未満、例えば８０ｋｍ／ｈ以上、１００ｋｍ／ｈ未満の場合には、１０ｋｍ／ｈ目盛用LED６１ｂの輝度も徐々に落とす（図３(c)参照）。
【００１４】
通常の市街地走行では、０〜５０ｋｍ／ｈの間で走行すると考え、例えば速度V1を５０ｋｍ／ｈと設定すると、５０ｋｍ／ｈ以上の速度になった場合、２ｋｍ／ｈ目盛用LED６１ｃも輝度が下がるため、速度表示の全体のイメージからも５０ｋｍ／ｈを超えたことを認識しやすくなる。すなわち、単に５０ｋｍ以上で運転負荷が上昇した場合に最低限の情報による視認性の向上のみならず、速度超過に対する警告を促すことにもつながる。同様に、V2を高速道路の規制速度の上限である１００ｋｍ／ｈとすることで同様に警告を促す用途で利用可能となる。また、カーナビゲーション、VICSなどの道路交通情報を利用し、高速道路であっても雨天や事故などで５０ｋｍ／ｈ、８０ｋｍ／ｈなどの速度規制が入った場合V2をこの速度に自動で設定することで、運転者は１０ｋｍ／ｈ目盛２２の輝度が落ちないように速度を調整することで、安定した適度な速度で走行することが可能となる。市街地においては同様にV1の設定を３０ｋｍ／ｈ規制、４０ｋｍ／ｈ規制に設定することで、同様な効果をもたらす。
【００１５】
言い換えて説明しておく。
自動車用メータの車速表示は、機械式ムーブメントによるアナログメータや、セグメントディスプレイなどによるデジタルメータがある。アナログメータは、ムーブメントの位置により絶対量の変化を瞬時に読み取りやすいため、頻繁に速度が変化する市街地走行などに適している。従来例では、アナログ表示とデジタル表示の両方を表示している。
【００１６】
しかしながら、アナログ表示のスピードメータにおいて、目盛の細かさを一定にし、全体を細かく刻む目盛にすると、微小車速の変動がわかるが、情報量が多いため、瞬読性に劣る。目盛の細かさを一定にし、全体を粗くすると、瞬読性は上がるが、微小な変動がわかりにくい。また、これらに対し、目盛の細かさを低速部分は細かく、高速部分は粗くすると、メータ全体のデザインのバランスが悪い。
【００１７】
これに対し、本実施例１では、市街地走行など、速度規制等により、微小車速の変動を見ることがある低速時には、２ｋｍ／ｈ毎の目盛が読めるようにし、運転負荷が高い高速時には、１０ｋｍ／ｈ毎、あるいは２０ｋｍ／ｈ毎の目盛にして、瞬読性を向上させたのであり、目盛の輝度の変更によって、アナログメータの良さとデジタルメータの良さを合わせ持つものである。
また、全体で変化するためデザインのバランスがよい。
【００１８】
なお、目盛の輝度を変更する際には、図４(a)に示すように、所定の速度で、段階的に切換えて、積極的にドライバに切換えを伝えるようにしてもよいし、図(b),(c)のように徐々に輝度を落としてもよい。この場合には、徐々に輝度を変更することにより、表示の連続性が保たれ、切り替わりに違和感を生じない。
【００１９】
次に効果を説明する。
本実施の形態の車速メータにあっては、次に列挙する効果を得ることができる。
(1)目盛を指し示す位置を車速に応じて変更することで、車速の表示を行う車速メータにおいて、目盛を明るく見せる、光の透過性のある目盛とLEDを設け、前記目盛をきざみ間隔で複数段階に分け、車速に応じて前記段階で目盛の輝度を変更するため、低速時は細かいところまで車速がわかり、高速時は瞬読性に優れる車速の表示ができる。
【００２０】
(2) (1)について、表示の目盛のきざみを大目盛、中目盛、小目盛の少なくとも３種類の異なるきざみの目盛に分け、車速が低速では、全ての目盛の輝度を高くして、表示させ、車速が中速では、小目盛の輝度を落とすようにし、車速が高速では、小目盛、中目盛の輝度を落とすようにしたため、低速時は細かいところまで車速がわかり、高速時は瞬読性に優れる車速の表示ができる。
【００２１】
(3) (2)について、輝度を落とす際に、徐々に変化させるようにしたため、表示の連続性を保ち、切り替わりに違和感を生じないようにできる。
【００２２】
（その他の実施の形態）
以上、本発明の実施の形態を実施例１に基づいて説明してきたが、本発明の具体的な構成は実施例に限定されるものではなく、発明の要旨を逸脱しない範囲の設計変更等があっても、本発明に含まれる。
実施例１では、機械的に指針が動くアナログメータについて、説明したが、アナログメータ自体を、液晶パネルに表示させるようにし、例えばバックライトにより輝度を変更するものであってもよい。
実施例１では、２ｋｍ／ｈ、１０ｋｍ／ｈ、２０ｋｍ／ｈきざみの目盛を用いたが他速度のきざみであってもよく、また、きざみの種類を増やしてもよい。
【図面の簡単な説明】
【００２３】
【図１】車速メータの速度表示盤の説明図である。
【図２】車速メータの概要を説明する図である。
【図３】車速メータの表示例を示す図である。
【図４】車速に応じて、輝度を落とす例を示す図である。
【符号の説明】
【００２４】
１  車速メータ
２  速度表示盤
２１  ２０ｋｍ／ｈ目盛
２２  １０ｋｍ／ｈ目盛
２３  ２ｋｍ／ｈ目盛
２４  目盛文字
２５  単位表記文字
４  メータパネル
４１  エンジン回転計
５  メータ基板
５１  軸部
６１  LED
６１ａ  ２０ｋｍ／ｈ目盛用LED
６１ｂ  １０ｋｍ／ｈ目盛用LED
６１ｃ  ２ｋｍ／ｈ目盛用LED
６２  LED
７１  LED駆動部
７２  輝度制御部
７３  メータ制御部
【図１】
2006234441.tif 000003
【図２】
2006234441.tif 000004
【図３】
2006234441.tif 000005
【図４】
2006234441.tif 000006